(57)【要約】【課題】近年、共振周波数の高調波成分を小さくできるとともに、より急峻な減衰特性を備えたバンドパスフィルタが求められている。【解決手段】複数の誘電体層を積層してなる積層体と、該積層体中であって前記誘電体層の主面と平行に並設された複数の共振電極と、該複数の共振電極とそれぞれ電気的に接続された複数の容量電極と、前記複数の共振電極に電気信号を入力する並列共振入力回路と、を備え、前記並列共振入力回路が、前記共振電極と接続された第１の入力電極と、前記誘電体層を介して前記容量電極と対向し、前記容量電極を介して前記共振電極に電気的に接続された第２の入力電極とを具備するバンドパスフィルタとする。【選択図】図２
2010154176.tif 000002
【特許請求の範囲】
【請求項１】
複数の誘電体層を積層してなる積層体と、
該積層体中であって前記誘電体層の主面と平行に並設された複数の共振電極と、
該複数の共振電極とそれぞれ電気的に接続された複数の容量電極と、
前記複数の共振電極に電気信号を入力する並列共振入力回路と、を備えたバンドパスフィルタであって、
前記並列共振入力回路は、前記共振電極と接続された第１の入力電極と、前記誘電体層を介して前記容量電極と対向し、前記容量電極を介して前記共振電極に電気的に接続された第２の入力電極とを具備していることを特徴とするバンドパスフィルタ。
【請求項２】
前記共振電極と接続された第１の出力電極と、前記誘電体層を介して前記容量電極と対向し、前記容量電極を介して前記共振電極に電気的に接続された第２の出力電極とを具備する前記複数の共振電極から電気信号を出力する並列共振出力回路を更に備えていることを特徴とする請求項１に記載のバンドパスフィルタ。
【請求項３】
前記並列共振入力回路は、前記第１の入力電極と前記第２の入力電極とを電気的に接続する内部配線と、前記積層体の表面に配設され、第１の入力電極及び第２の入力電極に電気信号を入力する入力端子とをさらに具備していることを特徴とする請求項１に記載のバンドパスフィルタ。
【請求項４】
前記第１の入力電極は、前記誘電体層の主面と垂直な方向から前記共振電極と直接に接続されていることを特徴とする請求項１に記載のバンドパスフィルタ。
【請求項５】
前記第１の入力電極は、前記誘電体層の主面に平行、且つ、前記共振電極の長手方向に垂直な方向から前記共振電極と直接に接続されていることを特徴とする請求項１に記載のバンドパスフィルタ。
【請求項６】
前記共振電極と前記容量電極とがビア電極を介して接続され、前記第１の入力電極が前記ビア電極と直接接続されていることを特徴とする請求項１に記載のバンドパスフィルタ。
【請求項７】
前記第２の入力電極は、前記誘電体層を介して前記容量電極と対向していることを特徴とする請求項１に記載のバンドパスフィルタ。
【請求項８】
請求項１〜７のいずれかに記載のバンドパスフィルタを備えたことを特徴とする高周波モジュール。
【請求項９】
請求項８に記載の高周波モジュールを備えたことを特徴とする無線通信機器。
【発明の詳細な説明】
【技術分野】
【０００１】
本発明は、バンドパスフィルタ及びこれを用いた通信機器装置に関するものである。通信機器装置は、例えば、携帯電話、無線ＬＡＮのような無線通信機器に好適に用いることができる。
【背景技術】
【０００２】
従来から、通信機器装置などに用いられるバンドパスフィルタには所定の通過帯域を除く周波数帯域での信号を減衰させることが求められている。そこで、特許文献１に開示されているように、共振電極に電気信号を入力する入力回路として、並列共振入力回路を用いたバンドパスフィルタが提案されている。特許文献１に開示されたバンドパスフィルタにおいては、並列共振入力回路を備えていることにより、共振周波数の高調波成分の減衰を改善している。
【特許文献１】特開２００３−４６３０３号公報
【発明の開示】
【発明が解決しようとする課題】
【０００３】
しかしながら、近年、急峻な減衰特性を備えることが求められている。つまり、通過帯域近傍の周波数帯域における信号をより大きく減衰させることが求められている。特許文献１に開示されたバンドパスフィルタによって共振周波数の高調波成分の減衰を改善することはできる。しかしながら、より大きな減衰特性を備えるためには特許文献１に開示されたバンドパスフィルタでは不十分である。
【０００４】
本発明は、上記課題に鑑みてなされたものであり、通過周波数の高調波成分を小さくできるとともに、より急峻な減衰特性を備えたバンドパスフィルタ並びにこれを用いた無線通信モジュール及び通信機器装置を提供することを目的とする。
【課題を解決するための手段】
【０００５】
本発明のバンドパスフィルタは、複数の誘電体層を積層してなる積層体と、該積層体中であって前記誘電体層の主面と平行に並設された複数の共振電極と、該複数の共振電極とそれぞれ電気的に接続された複数の容量電極と、前記複数の共振電極に電気信号を入力する並列共振入力回路と、を備えている。そして、前記並列共振入力回路が、前記共振電極と接続された第１の入力電極と、前記誘電体層を介して前記容量電極と対向し、前記容量電極を介して前記共振電極に電気的に接続された第２の入力電極とを具備している。
【発明の効果】
【０００６】
本発明のバンドパスフィルタによれば、並列共振入力回路が、共振電極と接続された第１の入力電極と、誘電体層を介して容量電極と対向し、容量電極を介して共振電極に電気的に接続された第２の入力電極とを具備している。言い換えれば、第１の入力電極のインダクタ成分と、容量電極及び第２の入力電極による容量成分ならびにインダクタ成分による第１の並列共振と、第１の入力電極と第２の入力電極とが電磁結合することにより第１の並列共振に対して副次的に形成される第２の並列共振と、を具備している。これにより、通過帯域の高周波側に２つの減衰極を発現させることができる。結果として、大きな減衰特性を有するバンドパスフィルタを提供することができる。
【発明を実施するための最良の形態】
【０００７】
以下、本発明のバンドパスフィルタについて図面を用いて詳細に説明する。
【０００８】
図１〜４に示すように、本発明の第１の実施形態にかかるバンドパスフィルタ１は、複数の誘電体層３を積層してなる積層体５と、積層体５中であって誘電体層３の主面と平行に並設された複数の共振電極７と、複数の共振電極７とそれぞれ電気的に接続された複数の容量電極９（第１の容量電極９）と、複数の共振電極７に電気信号を入力する並列共振入力回路１１と、を備えている。そして、並列共振入力回路１１が、共振電極７と接続された第１の入力電極１３と、誘電体層３を介して容量電極９と対向し、容量電極９を介して共振電極７に電気的に接続された第２の入力電極１５とを具備している。
【０００９】
これにより、通過帯域の高周波側に２つの減衰極を発現させることができる。そのため、従来のバンドパスと比較して、より大きな減衰特性を有するバンドパスフィルタ１を提供することができる。これは、以下の理由による。
【００１０】
共振電極７と接続された第１の入力電極１３と容量電極９を介して共振電極７に接続された入力電極と容量電極９に接続された第２の入力電極１５を有していることにより、第１の入力電極１３のインダクタ成分と、容量電極９及び第２の入力電極１５による容量成分ならびにインダクタ成分により第１の並列共振が起こり、通過帯域の高周波側に減衰極が発現している。さらに、本実施形態にかかるバンドパスフィルタ１は、第１の入力電極１３と第２の入力電極１５が電磁結合している。そのため、第１の入力電極１３と第２の入力電極１５の電磁結合成分と第１の入力電極１３のインダクタ成分と、容量電極９及び第２の入力電極１５による容量成分ならびにインダクタ成分により第１の並列共振に対して副次的に形成される第２の並列共振が起こり、減衰極が発現し、第１の並列共振と第２の並列共振により減衰極が２つ発現させることができる。
【００１１】
本実施形態にかかるバンドパスフィルタ１は、複数の誘電体層３を積層してなる積層体５を備えている。積層体５及び誘電体層３の形状や寸法は、使用される周波数や用途に応じて設定される。例えば、誘電体層３の厚みは、誘電体層３を介して対向する第２の入力電極１５と容量電極９との間で電気的な短絡が生じないように、絶縁性を確保するのに十分な厚みを有していることが好ましい。
【００１２】
誘電体層３としては、例えば、セラミック材料のような無機材料及び樹脂材料を用いることができる。具体的には、セラミック材料としては、例えば、アルミナセラミックス、ムライトセラミックス及びガラスセラミックスを用いることができる。また、樹脂材料としては、例えば、四フッ化エチレン―エチレン樹脂（ポリテトラフルオロエチレン；ＰＴＦＥ）、四フッ化エチレン―エチレン共重合樹脂（テトラフルオロエチレン―エチレン共重合樹脂；ＥＴＦＥ）及び四フッ化エチレン―パーフルオロアルコキシエチレン共重合樹脂（テトラフルオロエチレン―パーフルオロアルキルビニルエーテル共重合樹脂；ＰＦＡ）のようなフッ素樹脂、ガラスエポキシ樹脂並びにポリイミドを用いることができる。
【００１３】
本実施形態のバンドパスフィルタ１においては、図３に示すように、積層体５の表面には第１の基準電極１７及び第２の基準電極１９が配設されている。より具体的には、積層体５の積層方向の一方の端部（図３においては上面）に第１の基準電極１７が配設され、積層体５の積層方向の他方の端部（図３においては下面）に第２の基準電極１９が配設されている。
【００１４】
第１の基準電極１７及び第２の基準電極１９は、積層体５の上面及び下面の全体にそれぞれ配設されていることが好ましい。これにより、積層体５の内部における信号の伝達に伴い生じる電磁波の外部への漏洩を抑制することができるからである。ただし、本実施形態のように、入力端子２１及び出力端子２３（以下、単に入出力端子２３ともいう）が、積層体５の上面又は下面において外部に取り出されている場合には、入出力端子２３との電気的な短絡を防止するため、入出力端子２３と離隔するように、入出力端子２３の取り出し口を除く部分に配設されていることが好ましい。
【００１５】
また、積層体５の少なくとも１つの側面には第３の基準電極２５が配設されている。第３の基準電極２５は、共振電極７の短絡端を形成するために用いられる。なお、本実施形態にかかるバンドパスフィルタ１においては第３の基準電極２５が積層体５の側面に配設されているが、特にこれに限定されるものではない。共振電極７の短絡端を形成することができるのであれば、例えば、第３の基準電極２５が積層体５に埋設されていてもよい。
【００１６】
第１の基準電極１７、第２の基準電極１９及び第３の基準電極２５としては、導電性の良好な部材を用いることが好ましい。導電性の良好な部材としては、例えば、Ａｕ，Ａｇ，Ｃｕ，Ａｌ，Ｐｔ，Ｐｄ，Ｗ及びＭｏのような金属部材を用いることができる。
【００１７】
本実施形態にかかるバンドパスフィルタ１は、積層体５中であって誘電体層３の主面と平行に並設された２つの共振電極７を備えている。一方の共振電極７は第１の入力電極１３と電気的に接続されている。また、他方の共振電極７は第１の出力電極３５と電気的に接続されている。
【００１８】
並設され、隣り合う共振電極７が電磁界結合することにより、入力信号における通過帯域に対応する波長成分を取り出すことができる。このとき、共振電極７７の長さを通過帯域に対応する波長成分の略１／４とすることにより、λ／４共振を利用して、効率よく入力信号における通過帯域に対応する波長成分を取り出すことができる。なお、共振電極７としては、第１の基準電極１７と同様に、導電性の良好な部材を用いることが好ましい。
【００１９】
なお、本実施形態におけるバンドパスフィルタ１は２つの共振電極７を備えているが、これに限定されるものではない。３つ以上の共振電極７を備え、これらの共振電極７の短絡端が互い違いに接続された、いわゆるインターデジタル型としてもよい。
【００２０】
本実施形態にかかるバンドパスフィルタ１は、２つの共振電極７とビア電極２７を介してそれぞれ電気的に接続された２つの第１の容量電極９を備えている。なお、図４においては、共振電極７と入力側の第１の容量電極９とを接続するビア電極２７におけるインダクタ成分をＬ５、共振電極７と出力側の第１の容量電極９とを接続するビア電極２７におけるリアクタンス成分をＬ６で示している。
【００２１】
また、２つの第１の容量電極９とビア導体を介してそれぞれ接続された２つの第２の容量電極２９を備えている。入力側の第１の容量電極９と第２の容量電極２９とを接続するビア電極２７におけるインダクタ成分をＬ７、出力側の第１の容量電極９と第２の容量電極２９とを接続するビア電極２７におけるインダクタ成分をＬ８で示している。
入力側の第２の容量電極２９は第２の基準電極１９との間でＣ５、出力側の第２の容量電極２９は第２の基準電極１９との間でＣ６の容量結合を形成している。なお、第１の容量電極９及び第２の容量電極２９としては、第１の基準電極１７と同様に、導電性の良好な部材を用いることが好ましい。
【００２２】
本実施形態にかかるバンドパスフィルタ１は、複数の共振電極７に電気信号を入力する並列共振入力回路１１を備えている。本実施形態における並列共振入力回路１１は、共振電極７と接続された第１の入力電極１３と、誘電体層３を介して第１の容量電極９と対向し、第１の容量電極９を介して共振電極７に電気的に接続された第２の入力電極１５とを具備している。
さらに、本実施形態における並列共振入力回路１１は、積層体５の上面に配設され、第１の入力電極１３及び第２の入力電極１５に電気信号を入力する入力端子２１を具備している。なお、図４においては、第１の入力電極１３におけるインダクタ成分をＬ１、第２の入力電極１５におけるインダクタ成分をＬ３と容量成分をＣ１で示している。また、共振電極７と第１の入力電極１３とを接続するビア電極２７におけるインダクタ成分をＬ９、第１の入力電極１３と第２の入力電極１５とを接続するビア電極２７におけるインダクタ成分をＬ１１で示している。
【００２３】
この入力端子２１を介して外部から共振電極７に信号を入力することにより、通過帯域の周波数成分を抽出することができる。また、このとき、第１の入力電極１３の及び第２の入力電極１５を介して共振電極７に信号が入力されるため、通過帯域の高周波側に２つの減衰極を発現させることができる。また、並列共振入力回路１１が、上記の内部配線と入力端子２１をさらに備えていることから、複数の入力端子２１を設ける必要が無く、外部配線（非図示）との接続を容易に行うことができる。
【００２４】
また、本実施形態のように、第１の入力電極１３は、誘電体層３の主面と垂直な方向から共振電極７と直接に接続されていることが好ましい。第１の入力電極１３中を流れる電流の向きに垂直な方向に磁界が発生するが、第１の入力電極１３を上記のように形成することにより、この磁界から共振電極７が受ける影響を小さくすることができるからである。
【００２５】
また、入力端子２１が積層体５の上面に配設され、第１の入力電極１３が誘電体層３の主面と垂直な方向に形成されているため、積層体５の側面上に第１の入力電極１３を引き出すことなく、第１の入力電極１３に電気信号を入力することができる。つまり、積層体５を平面視した場合における、積層体５のサイズを小さくすることができる。積層体５を平面視した場合における、積層体５のサイズを小さくすることが求められている場合には、本実施形態のように第１の入力電極１３が配設されていることが好ましい。
【００２６】
また、本実施形態のように、第２の入力電極１５は、誘電体層３を介して第１の容量電極９と対向する対向電極３１を有していることが好ましい。図４においてＣ１で示すように、第２の入力電極１５における対向電極３１と第１の容量電極９とを容量結合させることにより、２つの減衰極を所望の周波数に合わせることができる。なお、第１の入力電極１３及び第２の入力電極１５としては、第１の基準電極１７と同様に、導電性の良好な部材を用いることが好ましい。
【００２７】
また、図３に示すように、本実施形態のバンドパスフィルタ１は、第１の容量電極９と第２の容量電極２９との間に位置して、誘電体層３を介して第１の容量電極９及び第２の容量電極２９と対向し容量結合Ｃ２及びＣ３を形成する結合電極３３を備えている。このような結合電極３３を備えることにより、複数の共振電極７間における容量結合を調整することができる。
【００２８】
この入力端子２１を介して外部から共振電極７に信号を入力することにより、通過帯域の周波数成分を抽出することができる。また、このとき、第１の入力電極１３の及び第２の入力電極１５を介して共振電極７に信号が入力されるため、通過帯域の高周波側に２つの減衰極を発現させることができる。また、並列共振入力回路１１が、上記の内部配線と入力端子２１をさらに備えていることから、複数の入力端子２１を設ける必要が無く、外部配線（非図示）との接続を容易に行うことができる。
【００２９】
また、本実施形態のバンドパスフィルタ１は、共振電極７と接続された第１の出力電極３５と、誘電体層３を介して第１の容量電極９と対向し、第１の容量電極９を介して共振電極７に電気的に接続された第２の出力電極３７と、積層体５の上面に配設され、第１の出力電極３５及び第２の出力電極３７から電気信号を出力する出力端子２３とを具備する並列共振出力回路３９を更に備えている。なお、図４においては、第１の出力電極３５におけるインダクタ成分をＬ２、第２の出力電極３７におけるインダクタ成分をＬ４と容量成分をＣ４で示している。また、共振電極７と第１の出力電極３５とを接続するビア電極２７におけるインダクタ成分をＬ１０、第１の出力電極３５と第２の出力電極３７とを接続するビア電極２７におけるインダクタ成分をＬ１２で示している。
【００３０】
並列共振入力回路１１において第１の入力電極１３及び第２の入力電極１５を備えていることにより、通過帯域の高周波側に２つの減衰極を発現させることができるのと同様に、このような並列共振出力回路３９を備えることによっても、通過帯域の高周波側に２つの減衰極を発現させることができる。そのため、並列共振入力回路１１及び並列共振出力回路３９を備えている場合には、通過帯域の高周波側におけるノイズ減衰の効果をより高めることができる。
【００３１】
このとき、並列共振入力回路１１の第１の並列共振の周波数と並列共振出力回路３９の第１の並列共振の周波数とが略同一となるように、第１の入力電極１３及びと第１の出力電極３５を形成することが好ましい。これにより、並列共振入力回路１１の第１の並列共振によるノイズ減衰の効果と並列共振出力回路３９の第１の並列共振によるノイズ減衰の効果を強めあうことができるからである。また、同様に、並列共振入力回路１１の第２の並列共振の周波数と並列共振出力回路３９の第２の並列共振の周波数とが略同一となるように、第２の入力電極１５及び第２の出力電極３７を形成することが好ましい。具体的には、並列共振入力回路１１と並列共振出力回路３９とが対称形となるように構成されることが好ましい。
【００３２】
また、本実施形態のように、第１の出力電極３５は、誘電体層３の主面と垂直な方向から共振電極７と直接に接続されていることが好ましい。第１の出力電極３５中を流れる電流の向きに垂直な方向に磁界が発生するが、第１の出力電極３５を上記のように形成することにより、この磁界から共振電極７が受ける影響を小さくすることができるからである。
【００３３】
また、出力端子２３が積層体５の上面に配設され、第１の出力電極３５が誘電体層３の主面と垂直な方向に形成されているため、積層体５の側面上に第１の出力電極３５を引き出すことなく、第１の出力電極３５に電気信号を入力することができる。つまり、積層体５を平面視した場合における、積層体５のサイズを小さくすることができる。積層体５を平面視した場合における、積層体５のサイズを小さくすることが求められている場合には、本実施形態のように第１の出力電極３５が配設されていることが好ましい。
【００３４】
また、本実施形態のように、第２の出力電極３７は、誘電体層３を介して第１の容量電極９と対向する対向電極３１を有していることが好ましい。図４においてＣ４で示すように、第２の出力電極３７における対向電極３１と第１の容量電極９とを容量結合させることにより、２つの減衰極を所望の周波数に合わせることができる。なお、第１の出力電極３５及び第２の出力電極３７としては、第１の基準電極１７と同様に、導電性の良好な部材を用いることが好ましい。
【００３５】
次に、本発明の第２の実施形態について説明をする。
【００３６】
図５，６に示すように、本実施形態のバンドパスフィルタ１は、第１の実施形態と比較して、第１の入力電極１３が、誘電体層３の主面に平行、且つ、共振電極７の長手方向に垂直な方向から共振電極７と直接に接続されていることを特徴としている。また、第１の入力電極１３が誘電体層３の主面に平行に配設されているため、入力端子２１が積層体５の側面に配設される。
【００３７】
第１の入力電極１３中を流れる電流の向きに垂直な方向に磁界が発生するが、第１の入力電極１３を上記のように形成することにより、第１の実施形態と同様に、この磁界から共振電極７が受ける影響を小さくすることができるからである。
【００３８】
また、図２と図５を比較すると明らかなように、第１の入力電極１３を誘電体層３の主面に平行、且つ、共振電極７の長手方向に垂直な方向から共振電極７と直接に接続することにより、積層体５の積層数を減らすことができる。
【００３９】
また、第１の実施形態と比較した場合に、本実施形態のバンドパスフィルタ１は、第１の入力電極１３の長さを調整しやすい。言い換えれば、第１の入力電極１３のインダクタ成分の調整を容易に行うことができる。そのため、減衰極の生じる周波数の調整を行うことが容易となる。
【００４０】
次に、本発明の第３の実施形態について説明をする。
【００４１】
図７，８に示すように、本実施形態のバンドパスフィルタ１は、第１の実施形態と比較して、第１の入力電極１３が、誘電体層３の主面と垂直な方向から共振電極７と直接に接続されるビア導体と、誘電体層３の主面に平行、且つ、共振電極７の長手方向に垂直な方向に配設され、ビア導体パターンと接続された内部配線パターンとを備えていることを特徴とする。
【００４２】
本実施形態にかかるバンドパスフィルタ１を等価回路で示すと図４と同様になる。本実施形態にかかる並列共振入力回路１１においては、ビア導体パターンによるインダクタンス成分Ｌ５，Ｌ９，Ｌ１１が存在するので、ビア導体がない場合に比べて、共振周波数が低くなる。そのため、所望の共振周波数を得たい場合に、第１の入力電極１３のインダクタ成分Ｌ１、第２の入力電極１５のインダクタ成分Ｌ３又は容量成分Ｃ１を必要以上に大きくする必要がない。これにより、第１の入力電極１３と第２の入力電極１５の小型化が図れるため、バンドパスフィルタ１自体の小型化が可能となる。
【００４３】
また、並列共振入力回路１１と同様に、本実施形態にかかる並列共振出力回路３９においても、ビア導体パターンによるインダクタンス成分Ｌ６，Ｌ１０，Ｌ１２が存在するので、ビア導体がない場合と比較して、共振周波数が低くなる。そのため、所望の共振周波数を得たい場合に、第１の出力電極３５のインダクタ成分Ｌ２、第２の出力電極３７のインダクタ成分Ｌ４又は容量成分Ｃ４を必要以上に大きくする必要がない。これにより、第１の出力電極３５と第２の出力電極３７の小型化が図れるため、バンドパスフィルタ１自体の小型化が可能となる。
【００４４】
次に、本発明の高周波モジュール及び無線通信機器について以下に説明する。
【００４５】
図９に示すように、本実施形態の高周波モジュール４５は、上記いずれかに記載のバンドパスフィルタ１と、バンドパスフィルタ１の第２の端部側（図９においては上面側）に配設され、バンプ４７を介してバンドパスフィルタ１と電気的に接続された集積回路４９と、バンドパスフィルタ１の第１の端部側（図９においては下面側）に配設され、バンプ４７を介してバンドパスフィルタ１と電気的に接続されたプリント基板５１とを備えている。
【００４６】
そして、本実施形態の無線通信機器５３は、上記の高周波モジュール４５と、プリント基板５１を介してバンドパスフィルタ１に電気的に接続されたベースバンド部５５と、プリント基板５１を介してバンドパスフィルタ１に電気的に接続されたアンテナ５７とを備えている。
【００４７】
本実施形態の高周波モジュール４５および無線通信機器５３によれば、従来のバンドパスフィルタ１と比較して、共振電極７と接続された第１の入力電極１３と、誘電体層３を介して容量電極９と対向し、容量電極９を介して共振電極７に電気的に接続された第２の入力電極１５とを具備している。そのため、通過帯域の高周波側に２つの減衰極を発現させることができるので、より大きな減衰特性を有するバンドパスフィルタ１とすることができる。
これにより、通過帯域外のノイズとなる信号成分を小さくできるので、受信感度が高い高性能な高周波モジュール４５および無線通信機器５３を得ることができる。
【００４８】
なお、本実施形態においては、集積回路４９が、バンドパスフィルタ１の第２の端部側に配設されるとともにバンプ４７を介してバンドパスフィルタ１と電気的に接続している。また、プリント基板５１が、バンドパスフィルタ１の第１の端部側に配設されるとともにバンプ４７を介してバンドパスフィルタ１と電気的に接続されている。ここで、バンドパスフィルタ１を内蔵した基板を用いて、集積回路４９を、基体の第２の端部側に配設するとともにバンプ４７を介して基体と電気的に接続し、プリント基板５１を、基体の第１の端部側に配設するとともにバンプ４７を介して基体と電気的に接続してもよい。
【実施例】
【００４９】
図７に示す実施形態にかかるバンドパスフィルタ１の伝送特性を電磁界シミュレーションにて計算した。
【００５０】
本実施例における積層体５は、７層の誘電体層３から形成されている。各誘電体層３の厚みは、誘電体の上面側から、１３０μｍ、２０μｍ、６０μｍ、３０μｍ、２０μｍ、２０μｍ、２０μｍとした。
【００５１】
共振電極７は、長手方向の長さが０．７５ｍｍであり、誘電体層３の主面に平行であって長手方向に垂直な方向の幅を０．１３ｍｍとした。なお、以下において、誘電体層３の主面に平行であって長手方向に平行な方向の幅と誘電体層３の主面に平行であって長手方向に垂直な方向の幅とを寸法として示す。例えば、共振電極７の寸法は、０．７５ｍｍ×０．１３ｍｍとして示される。このような共振電極７を、間隔を０．１２５ｍｍとして２つ並設した。
【００５２】
第１の基準電極１７及び第２の基準電極１９は、積層体５の上面及び下面の全体にそれぞれ配設される。また、第１の基準電極１７及び第２の基準電極１９の寸法は、それぞれ２．３ｍｍ×１．４ｍｍとした。また、積層体５の側面には、第３の基準電極２５が配設されている。そして、各共振電極７の一方端が、この第３の基準電極２５に接続されている。
【００５３】
また、本実施例にかかるバンドパスフィルタ１は、２つの共振電極７とビア電極２７を介してそれぞれ電気的に接続された２つの第１の容量電極９と、これら２つの第１の容量電極９とビア導体を介してそれぞれ接続された２つの第２の容量電極２９を備えている。これら２つの第１の容量電極９の寸法は、それぞれ１．０ｍｍ×０．４ｍｍとした。また、これら２つの第２の容量電極２９の寸法は、それぞれ０．８７５ｍｍ×０．３７５ｍｍとした。
【００５４】
本実施例においては、第１の入力電極１３及び第１の出力電極３５が、それぞれ誘電体層３の主面と垂直な方向から共振電極７と直接に接続されるビア導体パターンと、誘電体層３の主面に平行、且つ、共振電極７の長手方向に垂直な方向に配設され、ビア導体パターンと接続された内部配線パターンとを備えている。
【００５５】
第１の入力電極１３及び第１の出力電極３５における内部配線パターンとしては、それぞれ誘電体層３の主面に平行であって長手方向に平行な方向の長さが１．０ｍｍであるとともに誘電体層３の主面に平行であって長手方向に垂直な方向の長さが０．４５ｍｍであるＬ字形とした。
【００５６】
また、第２の入力電極１５及び第２の出力電極３７としては、それぞれ誘電体層３の主面に平行であって長手方向に平行な方向の長さが０．９５ｍｍである対向電極３１を有するとともに誘電体層３の主面に平行であって長手方向に垂直な方向の長さが０．５ｍｍであるＴ字形とした。
【００５７】
また、共振電極７と第１の容量電極９、第１の容量電極９と第２の容量電極２９などを接続するビア導体及びビア導体パターンは、直径７５μｍとした。
【００５８】
本実施例にかかるバンドパスフィルタ１のフィルタ特性を図１０に示す。図１０に示すように、通過帯域である５ＧＨｚよりも高周波側である８〜９ＧＨｚ周辺に２つの減衰極が発現している。そのため、大きな減衰特性を有するバンドパスフィルタ１を提供することができる。例えば、本実施例のバンドパスフィルタ１は５ＧＨｚ帯の無線ＬＡＮとして用いることができる。
【図面の簡単な説明】
【００５９】
【図１】本発明の第１の実施形態におけるバンドパスフィルタを示す斜視図である。
【図２】図１に示す実施形態の分解斜視図である。
【図３】図１に示す実施形態のＡ−Ａ断面図である。
【図４】図１に示す実施形態の等価回路図である。
【図５】本発明の第２の実施形態におけるバンドパスフィルタを示す分解斜視図である。
【図６】図５に示す実施形態の断面図である。
【図７】本発明の第３の実施形態におけるバンドパスフィルタを示す分解斜視図である。
【図８】図７に示す実施形態の断面図である。
【図９】本発明の一実施形態にかかる高周波モジュール及び無線通信機器を示す概念図である。
【図１０】図７に示すバンドパスフィルタのフィルタ特性である。
【符号の説明】
【００６０】
１・・・バンドパスフィルタ
３・・・誘電体層
５・・・積層体
７・・・共振電極
９・・・（第１の）容量電極
１１・・・並列共振入力回路
１３・・・第１の入力電極
１５・・・第２の入力電極
１７・・・第１の基準電極
１９・・・第２の基準電極
２１・・・入力端子
２３・・・出力端子
２５・・・第３の基準電極
２７・・・ビア電極
２９・・・第２の容量電極
３１・・・対向電極
３３・・・結合電極
３５・・・第１の出力電極
３７・・・第２の出力電極
３９・・・並列共振出力回路
４５・・・高周波モジュール
４７・・・バンプ
４９・・・集積回路
５１・・・プリント基板
５３・・・無線通信機器
５５・・・ベースバンド部
５７・・・アンテナ
【図１】
2010154176.tif 000003
【図２】
2010154176.tif 000004
【図３】
2010154176.tif 000005
【図４】
2010154176.tif 000006
【図５】
2010154176.tif 000007
【図６】
2010154176.tif 000008
【図７】
2010154176.tif 000009
【図８】
2010154176.tif 000010
【図９】
2010154176.tif 000011
【図１０】
2010154176.tif 000012